(57)【特許請求の範囲】
【請求項１】
被写体像を結像する撮影レンズが設けられたレンズユニットと、このレンズユニットを着脱自在に保持するマウント部が前面に設けられたカメラ本体とからなるデジタルカメラにおいて、
前記カメラ本体の上下方向を軸に回動自在に軸着され、前記レンズユニットが取り外された前記前面を覆って前記マウント部を保護する第１位置と、前記マウント部を露呈させて前記レンズユニットの着脱を可能にするとともに、撮影に際して撮影者に把持される第２位置との間で移動するグリップ部と、
このグリップ部を前記第１位置に保持する保持手段と、
前記マウント部を囲むように前記前面に環状に形成され、前記グリップ部が前記保持手段によって前記第１位置に保持された際に押し潰されて、前記第１位置に移動した際に前記前面と対向する前記グリップ部の対向面と前記前面との間に生じる隙間を埋めるとともに、前記マウント部に取り付けられた前記レンズユニットにも押し潰され、前記レンズユニットと前記前面との間に生じる隙間も埋める弾性部材とを備えたことを特徴とするデジタルカメラ。
【請求項２】
前記対向面が、鏡面状に成形されていることを特徴とする請求項１記載のデジタルカメラ。
【請求項３】
前記レンズユニットは、前記撮影レンズによって結像された被写体像を光電変換して、前記被写体像に応じた画像データを取得する撮像素子を有することを特徴とする請求項１又は２記載のデジタルカメラ。
【請求項４】
被写体像を結像する撮影レンズが設けられたレンズユニットと、このレンズユニットを着脱自在に保持するマウント部が前面に設けられたカメラ本体とからなるデジタルカメラにおいて、
前記カメラ本体に回動自在に軸着され、前記レンズユニットが取り外された前記前面を覆って前記マウント部を保護する第１位置と、前記マウント部を露呈させて前記レンズユニットの着脱を可能にする第２位置との間で移動するカバー部材と、
このカバー部材を前記第１位置に保持する保持手段と、
前記マウント部を囲むように前記前面に環状に形成され、前記カバー部材が前記保持手段によって前記第１位置に保持された際に押し潰されて、前記第１位置に移動した際に前記前面と対向する前記カバー部材の対向面と前記前面との間に生じる隙間を埋めるとともに、前記マウント部に取り付けられた前記レンズユニットにも押し潰され、前記レンズユニットと前記前面との間に生じる隙間も埋める弾性部材とを備えたことを特徴とするデジタルカメラ。
【発明の詳細な説明】
【技術分野】
【０００１】
本発明は、被写体像を結像する撮影レンズが設けられたレンズユニットと、このレンズユニットを着脱自在に保持するマウント部が前面に設けられたカメラ本体とからなるデジタルカメラに関する。
【背景技術】
【０００２】
被写体像をＣＣＤイメージセンサなどの撮像素子で撮像してデジタルの画像データに変換し、内蔵メモリやメモリカードなどの記憶媒体に記録するデジタルカメラが普及している。こうしたデジタルカメラの中には、撮像素子に被写体像を結像させる撮影レンズをレンズユニットとして着脱自在にすることにより、広角や望遠など撮影状況に応じた種類の撮影レンズに交換できるようにしたものも知られている（特許文献１参照）。
【０００３】
レンズ交換タイプのデジタルカメラでは、レンズユニットの取付部から塵埃や水滴などといった異物がカメラ本体内に侵入してしまう危険性がある。カメラ本体内に侵入した異物は、撮像素子に付着して撮影した画像に異常となって表れたり、カメラ本体の故障の要因になったりしてしまう。このため、特許文献１記載のデジタルカメラでは、レンズユニットが取り外された際に、レンズ取付部の開口を覆う開閉自在なカバー部材を設け、レンズ取付部からの異物の侵入を防止するようにしている。
【特許文献１】特開２００４−１０９９７０号公報
【発明の開示】
【発明が解決しようとする課題】
【０００４】
しかしながら、前述のカバー部材は、板状に形成されたものを単純にスライド移動、又は回動することによってレンズ取付部の開口を開閉するものであり、液体の浸入を防ぐためには、十分なものではなかった。また、開口を水密に覆う着脱自在なキャップなどをレンズ取付部に取り付けることも考えられるが、キャップを着脱する操作は非常に煩わしく、デジタルカメラの操作性の低下につながるとともに、外した後のキャップを紛失してしまうことも考えられる。
【０００５】
本発明は、上記課題を鑑みてなされたものであり、撮影レンズの交換が可能なデジタルカメラにあって、操作性の低下を招くことなく確実な防水・防塵性を得ることを目的とする。
【課題を解決するための手段】
【０００６】
上記課題を達成するため、本発明のデジタルカメラは、被写体像を結像する撮影レンズが設けられたレンズユニットと、このレンズユニットを着脱自在に保持するマウント部が前面に設けられたカメラ本体とからなり、前記カメラ本体の上下方向を軸に回動自在に軸着され、前記レンズユニットが取り外された前記前面を覆って前記マウント部を保護する第１位置と、前記マウント部を露呈させて前記レンズユニットの着脱を可能にするとともに、撮影に際して撮影者に把持される第２位置との間で移動するグリップ部と、このグリップ部を前記第１位置に保持する保持手段と、前記マウント部を囲むように前記前面に環状に形成され、前記グリップ部が前記保持手段によって前記第１位置に保持された際に押し潰されて、前記第１位置に移動した際に前記前面と対向する前記グリップ部の対向面と前記前面との間に生じる隙間を埋めるとともに、前記マウント部に取り付けられた前記レンズユニットにも押し潰され、前記レンズユニットと前記前面との間に生じる隙間も埋める弾性部材とを備えたことを特徴とする。
【００１０】
前記対向面は、鏡面状に成形されていることが好ましい。
【００１１】
また、前記レンズユニットは、前記撮影レンズによって結像された被写体像を光電変換して、前記被写体像に応じた画像データを取得する撮像素子を有するものであってもよい。
【００１２】
さらに、本発明のデジタルカメラは、被写体像を結像する撮影レンズが設けられたレンズユニットと、このレンズユニットを着脱自在に保持するマウント部が前面に設けられたカメラ本体とからなり、前記カメラ本体に回動自在に軸着され、前記レンズユニットが取り外された前記前面を覆って前記マウント部を保護する第１位置と、前記マウント部を露呈させて前記レンズユニットの着脱を可能にする第２位置との間で移動するカバー部材と、このカバー部材を前記第１位置に保持する保持手段と、前記マウント部を囲むように前記前面に環状に形成され、前記カバー部材が前記保持手段によって前記第１位置に保持された際に押し潰されて、前記第１位置に移動した際に前記前面と対向する前記カバー部材の対向面と前記前面との間に生じる隙間を埋めるとともに、前記マウント部に取り付けられた前記レンズユニットにも押し潰され、前記レンズユニットと前記前面との間に生じる隙間も埋める弾性部材とを備える構成としてもよい。
【発明の効果】
【００１３】
本発明のデジタルカメラでは、マウント部が形成されたカメラ本体の前面と、グリップ部の対向面との少なくとも一方に弾性部材を設け、マウント部を保護する第１位置にグリップ部が保持された際に、この弾性部材が押し潰されて前面と対向面との間に生じる隙間を埋めるようにした。これにより、前面と対向面との間が水密に保持されるので、マウント部に対する確実な防水・防塵性を得ることができるとともに、マウント部を露呈させる動作とグリップを引き出す動作とが連動しているので、操作性もよい。
【発明を実施するための最良の形態】
【００１４】
図１は、デジタルカメラ１０を前面側から見た斜視図である。デジタルカメラ１０は、カメラ本体１１とレンズユニット１２とグリップ部１３とから構成されている。レンズユニット１２は、前面に露呈した撮影レンズ１４と、この撮影レンズ１４が結像した被写体像を光電変換するＣＣＤ（撮像素子）１５とを有している。直方体状に形成されたカメラ本体１１は、レンズユニット１２を着脱自在に保持し、種々の制御信号を送受してＣＣＤ１５などを駆動することにより、被写体像に応じたデジタルの画像データを取得する。
【００１５】
撮影を行う際に撮影者に把持されるグリップ部１３は、カメラ本体１１と同様に扁平な直方体状に形成されている。このグリップ部１３は、カメラ本体１１の右側端部に形成されたヒンジ部１６に軸着され、上下方向を軸に回動自在となるようにカメラ本体１１に取り付けられている。
【００１６】
レンズユニット１２は、例えば、撮影レンズ１４の焦点距離が異なるもの、ＣＣＤ１５の画素数が異なるもの、モノクロ撮影が可能なもの、赤外線撮影が可能なものなど、複数種類のものが予め用意される。デジタルカメラ１０は、これらの各レンズユニット１２を選択的にカメラ本体１１に装着することにより、撮影状況に応じた画像データを容易に得られるようにしている。
【００１７】
レンズユニット１２の背面には、バヨネット爪２１が形成されたマウント部２０が設けられている。一方、このマウント部２０と対面するカメラ本体１１の前面１１ａには、バヨネット溝２３が形成されたマウント部２２が設けられている。各マウント部２０、２２は、バヨネット爪２１をバヨネット溝２３に位置合わせして押し込み、時計方向に回転させることによって互いに嵌合する。また、バヨネット爪２１には、複数の接点２１ａが設けられている。各接点２１ａは、バヨネット爪２１とバヨネット溝２３とが嵌合した際に、バヨネット溝２３に設けられた接点（図示は省略）と接触する。これにより、各マウント部２０、２２は、バヨネット爪２１とバヨネット溝２３とによってカメラ本体１１とレンズユニット１２とを機械的に接続するとともに、各接点によってカメラ本体１１とレンズユニット１２とを電気的にも接続する。
【００１８】
マウント部２２には、ロックピン２５とマウント蓋２６とが設けられている。ロックピン２５は、レンズユニット１２がカメラ本体１１に装着された際に、マウント部２０に形成されたピン孔（図示は省略）と係合してレンズユニット１２の回転を規制し、レンズユニット１２がカメラ本体１１から脱落することを防止する。マウント蓋２６は、前面に向けてバネ付勢されており、レンズユニット１２が装着されていない時にバヨネット爪２１が入り込む開口を内側から塞ぎ、カメラ本体１１内に塵埃などが侵入することを防止する。
【００１９】
また、カメラ本体１１の前面１１ａには、マウント部２２の他に、ロックピン２５の係合を解除するロック解除ボタン２７、撮影が実行されたことを被写体となる人に報知する表示ランプ２８、カメラ本体１１の内外に音を通過させるための貫通孔群２９などが設けられている。ロック解除ボタン２７が押圧操作されると、この操作に連動してロックピン２５がカメラ本体１１内に退避し、ロックピン２５とピン孔との係合が解除される。これにより、レンズユニット１２の回転が再び許容され、カメラ本体１１からの取り外しが可能になる。貫通孔群２９と対面するカメラ本体１１内には、スピーカと集音マイク（いずれも図示は省略）とが設けられている。貫通孔群２９は、スピーカから発せられる音声や、集音マイクが集音する周囲音などを通過させ、これらの音の伝わりを助ける。
【００２０】
カメラ本体１１に回動自在に取り付けられたグリップ部１３は、図１に示すように、マウント部２２を露呈させて撮影時のグリップとして機能するグリップ位置（請求項記載の第２位置に相当）と、図２に示すように、レンズユニット１２が取り外された非撮影状態のカメラ本体１１の前面１１ａを覆ってマウント部２２を保護するカバー位置（請求項記載の第１位置に相当）との間で移動する。
【００２１】
グリップ部１３の上面には、デジタルカメラ１０に撮影の実行を指示するレリーズボタン４０が設けられている。このレリーズボタン４０は、２段階押しのスイッチとなっており、軽く押圧（半押し）すると、自動露出調整（ＡＥ）、自動焦点調整（ＡＦ）などの各種撮影準備処理が開始される。この状態でレリーズボタン４０をもう一度強く押圧（全押し）すると、撮影準備処理が施された１画面分の撮像信号が画像データに変換される。また、レリーズボタン４０を全押しすると、表示ランプ２８が点灯して被写体となる人に撮影の実行が報知される。
【００２２】
カバー位置にある際にカメラ本体１１の前面１１ａと対向するグリップ部１３の側面Ｓ１（請求項記載の対向面に相当）には、カメラ本体１１に対して種々の指示を入力するための操作入力部４１と、グリップ部１３をカバー位置に保持するための係合爪４２とが設けられている。操作入力部４１は、カバー位置に移動した際にマウント部２２などと干渉しないように、周囲よりも一段凹まされた凹面１３ａに形成されている。この操作入力部４１には、例えば、デジタルカメラ１０の電源のＯＮ／ＯＦＦを切り替える電源スイッチ５０、カメラ本体１１の背面に設けられたＬＣＤ（図示は省略）にメニュー画面を表示させる際や選択内容を決定する際などに操作されるメニューボタン５１、メニュー画面内でカーソルを移動させる十字キー５２、及び撮影レンズ１４のズームをワイド側、及びテレ側に変倍させるズーム操作ボタン５３などが配設されている。
【００２３】
さらに、デジタルカメラ１０は、静止画撮影を行う静止画撮影モードと、動画撮影を行う動画撮影モードと、撮影された各画像を再生表示する再生モードとを有しており、操作入力部４１には、これらの各モードを切り替えるためのモード切替スイッチ５４が設けられている。なお、グリップ部１３は、レリーズボタン４０、及び操作入力部４１に設けられた各操作ボタン類の指示入力をカメラ本体１１に送信するため、例えば、ヒンジ部１６内を通るフレキシブル配線基板などによって、カメラ本体１１と電気的にも接続されている。
【００２４】
係合爪４２は、縦長の長方形状に形成された開口４３に沿って上下動自在にグリップ部１３に取り付けられている。また、係合爪４２は、図示を省略したバネによって上方向に付勢されており、図１に示す位置で保持される。この係合爪４２は、グリップ部１３がカバー位置に移動した際に、先端に形成された斜面部分とカメラ本体１１の前面１１ａに形成された係合孔３０の上端とが当接するように位置が合わせられている。これにより、係合爪４２は、上端と斜面部分との摺接によって下方に押し下げられながらカメラ本体１１内に侵入し、内面に掛かるように係合孔３０と係合してグリップ部１３をカバー位置に保持する。すなわち、これら係合爪４２と係合孔３０とによって、請求項記載の保持手段が構成される。なお、保持手段は、上記に限ることなく、周知の機構を用いればよい。また、ヒンジ部１６に、例えば、クリックストップ機構（図示は省略）などを設けることにより、グリップ部１３がグリップ位置でも保持されるようにしておくことが好ましい。
【００２５】
グリップ部１３の幅狭な側面Ｓ２には、係合爪４２と係合孔３０との係合を解除するためのスライドレバー４４が設けられている。このスライドレバー４４は、図示を省略したバネによって上方向に付勢されるとともに、グリップ部１３内で係合爪４２に連結されている。これにより、スライドレバー４４の押し下げに連動して係合爪４２も押し下げられ、係合孔３０との係合が解除される。つまり、カバー位置に保持されたグリップ部１３をグリップ位置に移動させる際には、スライドレバー４４を押し下げながらグリップ部１３を手前に回動させるようにすればよい。
【００２６】
また、グリップ部１３には、幅広な２側面と上下面とを覆うように弾性のある軟質シート（弾性部材）４５が巻き付けられている（図中ハッチングで示す部分）。軟質シート４５は、レリーズボタン４０、操作入力部４１、開口４３のそれぞれに対応する部分が切り抜かれており、切り抜きから各部を露呈させている。側面Ｓ１を覆う軟質シート４５の面４５ａは、操作入力部４１を露呈させるべく長方形状に切り抜かれて略四角環状に形成されている。面４５ａは、グリップ部１３がカバー位置に移動した際に、マウント部２２や貫通孔群２９などを囲むようにカメラ本体１１の前面１１ａに当接するとともに、カメラ本体１１とグリップ部１３とによって押し潰され、前面１１ａと側面Ｓ１との間に生じる隙間を埋める。なお、軟質シート４５には、例えば、シリコーンなどによって生成されるエラストマ（合成ゴム）や天然ゴムなどを用いればよい。
【００２７】
次に、上記構成によるデジタルカメラ１０の作用について説明する。デジタルカメラ１０は、カメラ本体１１からレンズユニット１２が取り外され、カメラ本体１１とレンズユニット１２とに分けられた状態で保管される。カメラ本体１１を保管する際には、グリップ部１３がカバー位置（図２参照）に移動される。カバー位置に移動したグリップ部１３は、係合爪４２と係合孔３０との係合によってカバー位置に保持される。この際、カメラ本体１１とグリップ部１３とによって軟質シート４５の面４５ａが押し潰され、カメラ本体１１の前面１１ａとグリップ部１３の側面Ｓ１との間に生じる隙間を埋める。これにより、水などの液体や塵埃などといった異物がマウント部２２からカメラ本体１１内へ侵入することが確実に防止される。
【００２８】
また、操作入力部４１に設けられた各操作ボタン類や表示ランプ２８、及び貫通孔群２９などは、カメラ本体１１やグリップ部１３の筐体に開口を設ける必要があるため、これらの開口から異物が侵入してしまうことも懸念される。これに対し、本例のデジタルカメラ１０では、操作入力部４１を側面Ｓ１に設けるとともに、表示ランプ２８や貫通孔群２９などを前面１１ａに設け、これらを囲むように軟質シート４５の面４５ａを形成したので、操作入力部４１や貫通孔群２９などから異物が侵入することも確実に防止することができる。なお、前面１１ａや側面Ｓ１に設けるものは、上記に限ることなく、例えば、電池の収納室、メモリカードなどのスロット、及び外部機器との接続端子など、筐体に開口を要するものであれば、他の如何なるものであってもよい。
【００２９】
さらに、軟質シート４５を設けたことによって、前面１１ａと側面Ｓ１との擦れ合いが防止されるので、各面の傷付きを防止することもできる。また、グリップ部１３が急激にカバー位置に移動してしまった際などにも、その衝撃を軟質シート４５が吸収するので、各部の破損や傷付きなどを防止することができる。
【００３０】
ところで、撮影レンズ１４は、湿度に対して敏感であり、カビの繁殖やオイルの乾燥などを防止するため、湿度管理のなされた環境で保管されることが好ましい。カメラ本体１１とレンズユニット１２とが分けられると、それぞれ適した環境で保管できるようになるため、レンズユニット１２を保管する上でも好適である。また、デジタルカメラ１０を携帯する際、カメラ本体１１にレンズユニット１２を装着した状態で携帯すると、不慮の衝撃が加えられた際などに、各マウント部２０、２２などを破損させてしまう恐れがある。これに対し、本例のデジタルカメラ１０では、レンズユニット１２を取り外した状態でカメラ本体１１への異物の侵入を防止できるので、カメラ本体１１とレンズユニット１２とを分けて携帯することにより、各マウント部２０、２２などの破損も防止することができる。
【００３１】
一方、デジタルカメラ１０で撮影を行う場合には、まずスライドレバー４４を押し下げながらヒンジ部１６を軸にグリップ部１３を回動させ、グリップ部１３をカバー位置からグリップ位置に移動させる。なお、本例では、カバー位置から略９０°回転した位置をグリップ位置としているが、グリップ位置は、レンズユニット１２の取り付けが可能なようにマウント部２２が露呈する任意の角度でよい。
【００３２】
グリップ部１３をグリップ位置に移動させた後、各マウント部２０、２２を嵌合させてカメラ本体１１にレンズユニット１２を取り付け、デジタルカメラ１０を使用状態にする。この際、マウント蓋２６によってマウント部２２が塞がれているので、レンズユニット１２を取り付ける直前までカメラ本体１１への塵埃などの侵入が防止される。レンズユニット１２を取り付けた後、電源スイッチ５０を操作して電源を投入すると、モード切替スイッチ５４で設定されたモードでデジタルカメラ１０が起動する。これにより、モード切替スイッチ５４の設定に応じて静止画撮影、もしくは動画撮影が行われる。
【００３３】
このように、本例のデジタルカメラ１０では、マウント部２２を露呈させる動作とグリップ部１３を引き出す動作とが連動しているため、マウント部２２に着脱自在なキャップを取り付ける例などに比して操作性がよいとともに、キャップを紛失させる心配などもない。また、近年では、カメラ自体の小型化やＬＣＤの大画面化が進められており、ホールド性が低下する傾向にあるが、本例のデジタルカメラ１０では、グリップ位置にあるグリップ部１３をしっかりと把持することができるので、ホールド性もよい。また、グリップ部１３がカバー位置にある際には、直方体状に形成されたカメラ本体１１とグリップ部１３とが、それぞれ扁平な方向に重ねられるので、小型化の妨げとなることもない。
【００３４】
さらに、グリップ部１３の外周に巻き付けられるようにして設けられた軟質シート４５は、把持された際に弾性変形して手にフィットするとともに、手指の滑りを防止するため、グリップ部１３のホールド性をより高めることができる。また、本例では、撮影の実行を指示するレリーズボタン４０をグリップ部１３の上面に設けるとともに、撮影時に頻繁に操作されるズーム操作ボタン５３とモード切替スイッチ５４とを凹面１３ａの下側に配置した。これにより、グリップ部１３を右手で把持した際に、人差し指でレリーズボタン４０を操作できるとともに、親指でズーム操作ボタン５３とモード切替スイッチ５４とを操作できるので、グリップ部１３を把持した状態で容易に撮影を行うことができる。なお、レリーズボタン４０や操作入力部４１の配置は、図示に限るものではなく、例えば、カメラ本体１１の背面など、操作しやすい任意の位置に配置すればよい。
【００３５】
なお、上記実施形態では、軟質シート４５をグリップ部１３の外周に巻き付けるようにして設け、グリップ部１３のホールド性を高めるようにしているが、マウント部２２の防水・防塵を行う上では、前面１１ａとの接触界面である側面Ｓ１を覆う面４５ａの部分だけ設けられていればよい。また、上記実施形態では、グリップ部１３に軟質シート４５を設けているが、これに限ることなく、図３に示すデジタルカメラ６０のように、カメラ本体１１側に設けるようにしてもよい。デジタルカメラ６０では、表示ランプ２８や貫通孔群２９、及び操作入力部４１などを囲むように四角環状に形成された軟質シート６２が、カメラ本体１１の前面１１ａに設けられている。このように構成された軟質シート６２でも、グリップ部１３がカバー位置に移動した際に押し潰され、前面１１ａと側面Ｓ１との間に生じる隙間を埋めるので、上記実施形態と同様の効果を得ることができる。
【００３６】
さらに、操作入力部４１をカメラ本体１１の背面などに設ける場合には、図４に示すデジタルカメラ７０のように、マウント部２２のみを囲む環状の軟質シート７２をカメラ本体１１の前面１１ａに設けることが好ましい。このように構成された軟質シート７２では、グリップ部１３がカバー位置にある際に、前面１１ａと側面Ｓ１との間に生じる隙間を埋めるとともに、レンズユニット１２が取り付けられた際に、前面１１ａとレンズユニット１２の背面との間に生じる隙間を埋めるので、デジタルカメラ１０が使用状態、保管状態のいずれの状態にあるときにもマウント部２２に対する確実な防水・防塵性を得ることができる。また、軟質シート７２は、カメラ本体１１とグリップ部１３とに挟まれた際に、両者の間に完全に隠れるので、グリップ部１３をカバー位置にした際の見た目もよい。
【００３７】
なお、軟質シート７２に当接するグリップ部１３の側面Ｓ１は、鏡面状に成形されていることが好ましい。側面Ｓ１が鏡面状に仕上げられていると、軟質シート７２との密着性が向上するので、より確実な防水・防塵性を得ることができる。また、ヒンジ部１６を１８０°回転できるように（側面Ｓ１が正面を向くように）構成しておけば、撮影者自身を被写体として撮影する際に、側面Ｓ１に映る自身を見ながら撮影を行うことができるので、構図の参考とすることができる。なお、鏡面は、グリップ部１３のケース自体を研磨するものでもよいし、研磨した金属板や鏡などを嵌め込むものでもよい。
【００３８】
なお、上記各実施形態では、右利きの撮影者が使用しやすいように、ヒンジ部１６をカメラ本体１１の右側端部に設け、グリップ位置に移動したグリップ部１３がカメラ本体１１の右側にくるように構成しているが、これとは反対に、ヒンジ部１６をカメラ本体１１の左側端部に設け、グリップ部１３が左側にくるように構成してもよい。また、上記各実施形態では、前面１１ａと側面Ｓ１とのいずれか一方にのみ軟質シートを設けるようにしているが、もちろん前面１１ａと側面Ｓ１との両面に設けるようにしてもよい。
【００３９】
また、上記各実施形態では、第２位置に移動した際にグリップとして機能するグリップ部１３を用いているが、グリップとなるものに限らず、マウント部２２を保護する位置と露呈させる位置とで回動するカバー部材を用いるようにしてもよい。また、カバー部材は、上下方向の回転軸に限ることなく、任意の方向を軸に回動するものでよい。
【００４０】
さらに、上記各実施形態では、撮影レンズ１４とＣＣＤ１５とを内蔵したレンズユニット１２が、カメラ本体１１に対して着脱自在にされたデジタルカメラ１０に本発明を適用した例を示したが、これに限ることなく、例えば、ＣＣＤがカメラ本体側に設けられ、撮影レンズのみが着脱自在となった、いわゆる一眼レフタイプのデジタルカメラに本発明を適用してもよい。
【図面の簡単な説明】
【００４１】
【図１】デジタルカメラの構成を概略的に示す斜視図である。
【図２】グリップ部がカバー位置にある例を示す斜視図である。
【図３】軟質シートをカメラ本体側に設けた例を示す斜視図である。
【図４】軟質シートがマウント部のみを囲む例を示す斜視図である。
【符号の説明】
【００４２】
１０、６０、７０  デジタルカメラ
１１  カメラ本体
１１ａ  前面
１２  レンズユニット
１３  グリップ部
１４  撮影レンズ
１５  ＣＣＤ（撮像素子）
１６  ヒンジ部
２２  マウント部
２８  表示ランプ
２９  貫通孔群
３０  係合孔（保持手段）
４１  操作入力部
４２  係合爪（保持手段）
４５、６２、７２  軟質シート（弾性部材）
５０  電源スイッチ（操作部材）
５１  メニューボタン（操作部材）
５２  十字キー（操作部材）
５３  ズーム操作ボタン（操作部材）
５４  モード切替スイッチ（操作部材）
【図１】
0004828221.tif 000002
【図２】
0004828221.tif 000003
【図３】
0004828221.tif 000004
【図４】
0004828221.tif 000005